(57)【特許請求の範囲】
【請求項１】
撮影済みの写真フイルムを巻き込むパトローネが収納されるパトローネ室と、前記パトローネのスプールに一端を係止してロール状にした写真フイルムが収容されるフイルム室とが設けられ、これらの両室の間に露光範囲を決めるアパーチャが形成された本体部と、この本体部の背面に固定され前記両室とアパーチャを背面側から光密に覆う後カバーとを備えたレンズ付きフイルムユニットにおいて、
前記後カバーの内面に一体に形成され、前記フイルム室の背面を覆う部分から前記アパーチャに対面する部分まで写真フイルムの給送方向に沿って延び、写真フイルムを露光範囲の上下で背面側から支持するとともにフイルム室の出口部分ではアパーチャ側に一定の高さまで隆起されており、少なくともその一方はパーフォレーションの配列位置に沿って設けられた一対の第１突条と、後カバーの内面に一体に形成され、フイルム室の出口部分で少なくとも前記一定の高さ以上隆起され、前記第１突条の外側で写真フイルムを背面側から支持する第２突条とを有することを特徴とするレンズ付きフイルムユニット。
【発明の詳細な説明】
【０００１】
【産業上の利用分野】
本発明はレンズ付きフイルムユニットに関するものである。
【０００２】
【従来の技術】
レンズ付きフイルムユニットは、簡単な撮影機構を備えたユニット本体に予め未露光のパトローネ付きロ−ルフイルムを内蔵させたもので、カメラを携帯していなくても手軽に写真撮影を行うことができる。レンズ付きフイルムユニットには、ＩＳＯ規格に適合した１３５フイルムパトローネが用いられ、その組み込み時にはパトローネから写真フイルムを引き出してロ−ル状にまとめ、それぞれパトローネ室、フイルム室に装填する。そして、使用時には撮影の度にフイルム巻き上げ操作を行うと、撮影済みの写真フイルムが順次パトローネ内に巻き込まれるようになっている。
【０００３】
レンズ付きフイルムユニットのフイルム室の内壁には、例えば特開平６−２５０３３８号公報に記載されているように、写真フイルムの感光面の裏側に摺接するように、一対のレール状の突条が写真フイルムの捲回方向と平行に設けられている。この突条は、写真フイルムがフイルム室で動く時に、写真フイルムの裏面がフイルム室の内壁の全面に擦れて傷つくのを防止するとともに、写真フイルムの裏面とフイルム室の内壁との摩擦を軽減して、写真フイルムがフイルム室から滑らかに引き出されるようにする機能がある。
【０００４】
このような突条は、その高さを高くするほど、写真フイルムの摩擦の軽減と擦り傷の防止に効果があることが知られており、一対の突条の相互の幅を狭くするほど、写真フイルムの幅方向の湾曲を防止する効果があることも知られている。また、これとは別に、フイルム室から引き出された写真フイルムが、アパーチャ部分で撓んだりしないように、フイルム室から写真フイルムが引き出される出口であるフイルム室出口付近の突条の高さを高くする必要がある。
【０００５】
一方、近年、レンズ付きフイルムユニットの更なる小型化の達成のため、写真フイルムを収容するフイルム室と、露光開口であるアパーチャとを隣接して設けることにより、幅を一層小さくしたレンズ付きフイルムユニットも提供されつつある。
【０００６】
【発明が解決しようとする課題】
しかしながら、上述したように小型化の為にレンズ付きフイルムユニットのフイルム室とアパーチャとを隣接して設け、且つ、写真フイルムのアパーチャ部分での撓み防止や、擦り傷の防止の為に突条の高さを高くすると、フイルム室とアパーチャとの境界であるフイルム室出口近傍の突条の傾斜が急になり、平坦部と連続している部分が角状になる。すると、写真フイルムのパーフォレーションが突条の角状部分に落ち込んで引っ掛かり、写真フイルムの巻き上げ時に巻き上げトルクが増大するという問題がある。
【０００７】
また、レンズ付きフイルムユニットは、組み立て工程において各部の連結に超音波溶着を用いているが、写真フイルムパトローネの装填後に、上述したようにパーフォレーションが突条の角状部分に落ち込んだまま、各部の連結のために超音波を照射すると、このパーフォレーションが突条の角状部分とくっついてしまい、不良品になることがあった。
【０００８】
本発明は上記従来技術の問題点を考慮してなされたもので、写真フイルムの巻き上げ時に、写真フイルムと突条との摩擦を軽減し、写真フイルムが円滑に巻き上げ可能なレンズ付きフイルムユニットを提供することを目的とする。
【０００９】
【課題を解決するための手段】
本発明は上記目的を達成するために、本発明のレンズ付きフイルムユニットにおいては、後カバーの内面に一体に形成され、フイルム室の背面を覆う部分からアパーチャに対面する部分まで写真フイルムの給送方向に沿って延び、写真フイルムを露光範囲の上下で背面側から支持するとともにフイルム室の出口部分ではアパーチャ側に一定の高さまで隆起されており、少なくともその一方はパーフォレーションの配列位置に沿って設けられた一対の第１突条と、後カバーの内面に一体に形成され、フイルム室の出口部分で少なくとも前記一定の高さ以上隆起され、第１突条の外側で写真フイルムを背面側から支持する第２突条とを設けたものである。
【００１０】
【実施例】
以下本発明の実施例を図面を参照して説明する。図２は本発明を実施したレンズ付きフイルムユニットの分解斜視図である。また、図３はフイルム室付近の断面図である。レンズ付きフイルムユニット２は、シャッタ装置４や撮影レンズ５等を組み込んだ撮影ユニット６、本体部７及びこれに前後から爪止めされる前カバ−８、後カバ−９で構成されている。
【００１１】
前カバ−８には撮影レンズ５、ファインダ１１、撮影枚数表示板１２、及び巻き上げノブ１３などを露出させるための穴が設けられており、また、レリ−ズボタン１４が一体に設けられている。本体部７には、露光開口であるアパーチャ１０を挟んで両側にパトロ−ネ室１６とフイルム室１７とが形成されており、内部に写真フイルムパトロ−ネ１８と、パトロ−ネ本体１８ａから引き出された写真フイルム１９をロール状にまとめたフイルムロール１９ａがそれぞれ収納される。
【００１２】
後カバ−９にはパトロ−ネ室底蓋９ａ、及びフイルム室底蓋９ｂが各々一体に設けられ、パトロ−ネ室１６の底部とフイルム室１７の底部を各々光密に覆うようになっている。後カバ−９のフイルム室１７の背面を覆う部分には、フイルム室１７とアパーチャ１０との境界でありフイルム室１７から写真フイルム１９が引き出されるフイルム室出口１７ａからフイルム室１７の端部に向かって、一対の第１突条２１ａ，２１ｂが一体に設けられている。
【００１３】
第１突条２１ａ，２１ｂは、写真フイルム１９の両側に設けられたパーフォレーション列１９ｃ，１９ｄに各々摺接する位置に設けられ、写真フイルム１９を背面から支えるようになっている。この第１突条２１ａ，２１ｂにより、写真フイルム１９の背面がフイルム室１７の内壁に擦れて傷つくことを防止するとともに、写真フイルム１９とフイルム室１７の内壁との摩擦を軽減して写真フイルム１９がスムーズに繰り出されるようにする。
【００１４】
また、第１突条２１ａ，２１ｂの外側には、第１突条２１ａ，２１ｂと平行するように一対の第２突条２２ａ，２２ｂが後カバ−９と一体に設けられている。図１に示すように、第２突条２１ａ，２１ｂは、第１突条２１ａ，２１ｂと同じ高さに形成され、写真フイルム１９のパーフォレーション列１９ｃ，１９ｄの外側に各々摺接する位置に設けられており、写真フイルム１９を背面から支えるようになっている。この第２突条２２ａ，２１ｂにより、パーフォレーション列１９ｃ，１９ｄが第１突条２１ａ，２１ｂの角状部２１ｃ，２１ｄに落ち込むことを防止する。
【００１５】
上記構成による作用について説明する。レンズ付きフイルムユニット２の撮影開始直後は、図３のように、写真フイルム１９はフイルムロール１９ａとしてフイルム室１７内で巻き緩み、最外周の写真フイルム１９のパーフォレーション列１９ｃ，１９ｄが第１突条２１ａ，２１ｂに、その外側が第２突条２２ａ，２２ｂに各々保持されている状態になっている。そして、レンズ付きフイルムユニット２の写真フイルム巻き上げ時には、巻き上げノブ１３を回動させる。これにより、写真フイルムパトロ−ネ１８のスプールが回転し、写真フイルム１９がフイルム室１７のフイルム室出口１７ａから順次引き出されていく。
【００１６】
この時、写真フイルム１９のパーフォレーション列１９ｃ，１９ｄが第１突条２１ａ，２１ｂの角状部２１ｃ，２１ｄに落ち込もうとするが、図４に示すように、パーフォレーション列１９ｃ，１９ｄの外側を第１突条２１ａ，２１ｂと同じ高さの第２突条２２ａ，２１ｂが支えているので、パーフォレーション列１９ｃ，１９ｄが角状部２１ｃ，２１ｄに落ち込むことがない。
【００１７】
従って、レンズ付きフイルムユニット２の写真フイルム巻き上げ時に、パーフォレーション列１９ｃ，１９ｄが角状部２１ｃ，２１ｄに引っ掛かり、写真フイルム１９の巻き上げトルクが増大したり、或いは巻き上げ不能になることがない。
【００１８】
なお、上記実施例では、後カバーに設ける第１突条と第２突条との間に一定の隙間が設けられているが、これ以外にも、第１突条と第２突条とを連続して隙間無く設け、第１突条と第２突条とを、一体の幅広の突条として、写真フイルムを裏面から支持させてもよい。
【００１９】
また、上記実施例では、予めパトローネ本体に収納された写真フイルムを引き出してロール状に纏めてフイルム室に装填するタイプのレンズ付きフイルムユニットの例を示しているが、これ以外にも、パトローネ本体とロール状の写真フイルムとを予め形成しておき、ユニット本体への装填時に、この写真フイルムの端部とパトローネ本体のスプールとを結合させて収納してもよい。
【００２０】
さらに、上記実施例では、両側に連続してパーフォレーションが設けられている写真フイルムを使用しているが、もちろん、片側だけにパーフォレーションが設けられ、かつ、１撮影コマ毎に幾つかの個数のパーフォレーションが設けられている写真フイルムを使用しても、全く同様に実施可能である。
【００２１】
【発明の効果】
以上のように、本発明のレンズ付きフイルムユニットによれば、後カバーの内面に一体に形成され、フイルム室の背面を覆う部分からアパーチャに対面する部分まで写真フイルムの給送方向に沿って延び、写真フイルムを露光範囲の上下で背面側から支持するとともにフイルム室の出口部分ではアパーチャ側に一定の高さまで隆起されており、少なくともその一方はパーフォレーションの配列位置に沿って設けられた一対の第１突条と、後カバーの内面に一体に形成され、フイルム室の出口部分で少なくとも前記一定の高さ以上隆起され、第１突条の外側で写真フイルムを背面側から支持する第２突条とを設けたので、写真フイルムの巻き上げ時に、写真フイルムと突条との摩擦を軽減し、写真フイルムが円滑に巻き上げ可能なレンズ付きフイルムユニットを提供することが可能になる。
【図面の簡単な説明】
【図１】本発明を実施したレンズ付きフイルムユニットのフイルム室出口付近を示す要部斜視図である。
【図２】本発明を実施したレンズ付きフイルムユニットの分解斜視図である。
【図３】
本発明を実施したレンズ付きフイルムユニットのフイルム室付近の断面図である。
【図４】本発明のレンズ付きフイルムユニットの第１突条、第２突条と、写真フイルムとの接触の様子を示す説明図である。
【符号の説明】
９  後カバー
１７ａ  フイルム室出口
１９  写真フイルム
１９ｃ，１９ｄ  パーフォレーション列
２１ａ，２１ｂ  第１突条
２１ｃ，２１ｄ  角状部
２２ａ，２２ｂ  第２突条
【図１】
0003585290.tif 000002
【図２】
0003585290.tif 000003
【図３】
0003585290.tif 000004
【図４】
0003585290.tif 000005